(57)【特許請求の範囲】
【請求項１】
以下のステップを含むマンホール内の排水方法。
第１ステップ）  マンホール内の水面のうち、一部の水面の浮遊物を移動又は除去す                    る。
第２ステップ）  前記浮遊物が移動又は除去された水面の位置に、筒状でかつ自立し                    て浮かぶ排水ガイドを浮かせる。
第３ステップ）  排水ポンプ及び排水ホースを、前記排水ガイドの内部の空洞部を通過させて前記マンホールの溜まり水の中に沈めることで、前記排水ポンプを前記溜まり水の中に設置する。
第４ステップ）  前記排水ポンプによって、前記溜まり水を前記排水ホースを通して排水する。
【請求項２】
前記排水ガイドは、
前記排水ポンプ及び前記排水ホースが上下方向に通過できる空洞部を有する、筒状のガイド本体と、
前記ガイド本体と一体的に形成されたフロートと、
を具備する、
請求項１に記載のマンホール内の排水方法。
【請求項３】
前記第２ステップは前記第１ステップの直ぐ後に行われる、又は、前記第１ステップと前記第２ステップは同時に行われる、
請求項１又は２に記載のマンホール内の排水方法。
【請求項４】
前記第１ステップは、前記浮遊物に向けて送風機で風を送ることで行われる、
請求項１から３のいずれか一項に記載のマンホール内の排水方法。
【請求項５】
前記浮遊物は浮き油である、
請求項１から４のいずれか一項に記載のマンホール内の排水方法。
【請求項６】
前記第１ステップは、油吸着材で前記浮き油を除去することで行われる、
請求項５に記載のマンホール内の排水方法。
【発明の詳細な説明】
【技術分野】
【０００１】
本発明は、マンホール内の排水方法に関する。
【背景技術】
【０００２】
マンホール内に設置された設備の保守などを行うためには、保守を行う前にマンホール内の溜まり水を排水する必要がある。
【０００３】
マンホール内の溜まり水の排水は、一般に、排水ポンプ及び排水ホースを用いて行う。すなわち、排水ホースが取り付けられた排水ポンプを溜まり水に沈め、この排水ポンプ及び排水ホースによって溜まり水を汲み上げることにより、溜まり水をマンホールの外部に排出する。
【０００４】
マンホール内の排水方法の例は、特許文献１に記載されている。
【先行技術文献】
【特許文献】
【０００５】
【特許文献１】特開平５−２７２１６５号公報
【発明の概要】
【発明が解決しようとする課題】
【０００６】
ところで、本来、マンホール内の溜まり水は、雨水扱いで、路上の排水溝に放水することができる。しかしながら、排水した溜まり水に油分が混入すると、雨水扱いではなく、産業廃棄物の扱いになるので、その処理に多額の費用が必要となる。
【０００７】
例えば、電力ケーブルである、ＯＦ（Oil-Filled）ケーブルや紙ケーブルが配設されたマンホールでは、その撤去の際に漏れた油が溜まり水の水面に浮遊物として浮いている場合がある。
【０００８】
このような浮き油が排水中に混入してしまうと、排水溝に放水できなくなり、上述したようにその処理に多額の費用がかかる。一方、浮き油が排水中に混入しないように排水作業を行うためには、手間と時間がかかる問題がある。さらに、浮き油が排水中に混入しないように注意して排水作業を行ったとしても、その混入を確実に防ぐことができるとは言えなかった。
【０００９】
本発明は、以上の点を考慮してなされたものであり、溜まり水に浮遊物としての浮き油を混入させることなく排水することができる、マンホール内の排水方法を提供することを目的とする。
【課題を解決するための手段】
【００１０】
本発明のマンホール内の排水方法の一つの態様は、マンホール内の水面のうち、一部の水面の浮遊物を移動又は除去するステップと、前記浮遊物が移動又は除去された水面の位置に、筒状でかつ自立して浮かぶ排水ガイドを浮かせるステップと、排水ポンプ及び排水ホースを、前記排水ガイドの内部の空洞部を通過させて前記マンホールの溜まり水の中に沈めることで、前記排水ポンプを前記溜まり水の中に設置するステップと、前記排水ポンプによって、前記溜まり水を前記排水ホースを通して排水するステップと、を含む。
【発明の効果】
【００１１】
本発明によれば、浮き油を混入させることなく溜まり水を排水することができる、マンホール内の排水方法を実現できる。
【図面の簡単な説明】
【００１２】
【図１】実施の形態のマンホール内の排水方法を用いて、マンホール内の溜まり水を排水している様子を示す図
【図２】排水ガイドの構成を示す断面図
【図３】排水ガイドの構成を示す斜視図
【図４】実施の形態におけるマンホール内の排水方法の手順を示すフローチャート
【発明を実施するための形態】
【００１３】
以下、本発明の実施の形態について図面を参照して詳細に説明する。
【００１４】
図１は、本実施の形態のマンホール内の排水方法を用いて、マンホール２０内の溜まり水２１を排水している様子を示す。
【００１５】
マンホール２０内には、排水ガイド１０が配置されている。排水ガイド１０にはロープ３１が掛けられており、排水ガイド１０は、作業員３２によってロープ３１を用いて、マンホール２０内に投入され、及び、排水作業終了後マンホール２０内から引き上げられる。排水ガイド１０は、マンホール２０内の溜まり水２１に自立して浮くようになっている。なお、排水ガイド１０の構成については、図２及び図３を用いて後述する。
【００１６】
排水ポンプ４１は、排水ガイド１０を介してマンホール２０の溜まり水２１の中に沈められ、マンホール２０の底に設置される。排水ポンプ４１に取り付けられた排水ホース４２は、排水ガイド１０内を通過して排水タンク４３に繋がれている。排水ポンプ４１及び排水ホース４２によって汲み上げられた溜まり水２１は排水タンク４３に貯留される。
【００１７】
図２は、排水ガイド１０の構成を示す断面図であり、図３は、排水ガイド１０の構成を示す斜視図である。排水ガイド１０は、ガイド本体１１と、フロート１２と、から構成されている。
【００１８】
本実施の形態の場合、ガイド本体１１として、底面をカットしたプラスチック製バケツが用いられている。一実施例として、７０リットルの家庭用のプラスチック製バケツの底面をカットしたものを用いることができる。また、フロート１２として、ペットボトルが用いられている。一実施例として、５００ミリリットルのペットボトルを用いることができる。排水ガイド１０は、ガイド本体（ここでは底面がカットされたプラスチック製バケツ）１１の周囲に、中身が空でキャップをした状態の複数のフロート１２が結束部材１３によって固定することでガイド本体１１とフロート１２が一体的に形成されている。ここでは、結束紐によって固定されている。フロート１２はキャップ側を下向きにした状態でガイド本体１１の周囲に固定されている。本実施の形態の場合、１６本のフロート１２がプラスチック製バケツの外周に対称位置に配置され固定されている。
【００１９】
ここで、本実施の形態の場合、そもそもプラスチック製バケツの蓋を閉じるために側方に突出するように形成された縁部１１ａを有するプラスチック製バケツ１１が用いられている。これにより、ペットボトル（フロート）１２の底面（キャップと反対側）をプラスチック製バケツ１１の縁部１１ａに揃えて固定することができ、縁部１１ａを固定用ガイドとすることができる。また、上方に浮力を受けても、ペットボトル（フロート）１２の底面の一部が縁部１１ａに突き当たることにより、結束部材１３による固定が仮に緩んだ場合でもプラスチック製バケツ１１から外れ難くなる。
【００２０】
また、本実施の形態の場合、フロート（ペットボトル）１２をガイド本体（プラスチック製バケツ）１１の縁部１１ａに固定することで、排水ガイド１０をマンホール２０内の溜まり水２１に浮かせた際、ガイド本体１１がフロート１２に比べて水中深くに位置する。本実施の形態では、ガイド本体１１の溜まり水２１内に位置する長手方向（深さ方向）の長さは、フロート１２の長手方向の長さの２倍以上を有する。これにより、排水ガイド１０を介して排水ポンプ４１を溜まり水２１の中に設置する際、排水ガイド１０が傾いても、排水ガイド１０外周の浮遊物（浮き油）２２が、ガイド本体１１の底から排水ガイド１０内に進入するのを防止することができる。また、排水の際の振動によって排水ガイド１０が傾いても、排水ガイド１０外周の浮遊物（浮き油）２２が、ガイド本体１１の底から排水ガイド１０内に進入するのを防止することができる。
【００２１】
次に、排水ガイド１０を用いた、マンホール内の排水方法について説明する。本実施の形態の排水は、図４に示した手順で行う。
【００２２】
先ず、第１ステップＳＴ１において、マンホール２０内の水面のうち、一部の水面の浮遊物（浮き油）２２を移動させる。この作業は、例えば、マンホール２０の上方外側から、マンホール２０内の水面の浮遊物（浮き油）２２に向けて送風機で風を送ることで実現できる。
【００２３】
次に、第２ステップＳＴ２において、浮遊物（浮き油）２２が移動された水面の位置に、排水ガイド１０を浮かせる。この作業は、作業員３２がロープ３１を用いて排水ガイド１０をマンホール２０内に下ろして行くことにより行う。ここで、第１ステップＳＴ１の作業は、排水ガイド１０内に浮遊物（浮き油）２２が入らないようにするための作業であるが、浮遊物（浮き油）２２を移動させても直ぐに元に戻ってしまうので、実際上、第１ステップＳＴ１の作業の直ぐ後に第２ステップＳＴ２の作業を行うか、あるいは、第１ステップＳＴ１の作業と第２ステップＳＴ２の作業を同時に行う必要がある。ここで、排水ガイド１０は筒状なので、マンホール２０の上方外側から送られた風は、排水ガイド１０を通過して水面まで届くので、排水ガイド１０は浮遊物（浮き油）２２を移動させるための障害にはならない。
【００２４】
なお、本実施の形態では、送風機で浮遊物（浮き油）２２を移動させた後、排水ガイド１０を浮かせるようにしたが、これに代えて、油吸着マット等の油吸着材で浮遊物である浮き油を除去した上で排水ガイド１０を浮かせるようにしてもよい。具体的には、例えば油吸着マット（図示せず）を排水ガイド１０の底に当てながら排水ガイド１０を水中に押し込み、水中に押し込んだ状態で油吸着マットを取り除く。これにより、排水ガイド１０を設置する部分の浮き油は油吸着マットに吸着するため、排水ガイド１０内に浮遊物（浮き油）２２を入れることなく、排水ガイド１０を浮かせることができる。
【００２５】
次に、第３ステップＳＴ３において、排水ガイド１０を介して排水ポンプ４１を溜まり水２１の中に設置する。この作業は、作業員が、排水ホース４２や、排水ポンプ４１に繋がれた補助ロープ（図示せず）を持ちながら、排水ポンプ４１を排水ガイド１０の内部の空洞１１ｂを通過させて溜まり水２１の中に沈め、マンホール２０の底まで下げることにより行われる。この際、排水ガイド１０は、単なる自立する筒状の浮き輪と異なり、前述のとおり、ガイド本体１１がフロート１２に比べて水中深くに位置するため、排水ガイド１０が傾いても、排水ガイド１０外周の浮遊物（浮き油）２２が、ガイド本体１１の底から排水ガイド１０内に進入するのを防止することができる。本実施の形態では、ガイド本体１１の溜まり水２１内に位置する長手方向（深さ方向）の長さは、フロート１２の長手方向の長さの２倍以上を有する。
【００２６】
次に、第４ステップＳＴ４において、排水ポンプ４１及び排水ホース４２によって溜まり水２１が汲み上げられ、排水が行われる。
【００２７】
ここで、排水が進むにつれて、溜まり水２１の水面が下降していき、それに伴って水面に浮いている排水ガイド１０も下降していく。やがて、排水ガイド１０の底面がマンホール２０の底面に達すると、排水ポンプ４１は排水ガイド１０の内部に収まる。このとき、単なる自立する筒状の浮き輪と異なり、前述のとおり、ガイド本体１１がフロート１２に比べて水中深くに位置するため、排水ガイド１０が傾いても、排水ガイド１０外周の浮遊物（浮き油）２２が、ガイド本体１１の底から排水ガイド１０内に進入するのを防止することができる。よって、排水ポンプ４１からは浮遊物（浮き油）２２の混ざっていない溜まり水２１が排水される。そして、浮遊物（浮き油）２２がマンホール２０の底面に達する直前に、排水ポンプ４１が停止される。
【００２８】
このようにすることで、溜まり水２１を油が混入しない状態で排水することができる。なお、図１では、溜まり水２１を排水タンク４３に貯留しているが、排水される溜まり水には油が混入していないので、雨水扱いで、路上の排水溝に放水することもできるようになる。また、残りの浮遊物（浮き油）２２を含む水は少量となるため、産業廃棄物処理費用を安くすることができる。
【００２９】
以上説明したように、本実施の形態によれば、マンホール２０内の水面のうち一部の水面の浮遊物（浮き油）２２を移動又は除去し、浮遊物（浮き油）２２が移動又は除去された水面の位置に、筒状でかつ自立して浮かぶ排水ガイド１０を浮かせ、排水ポンプ４１及び排水ホース４２を、排水ガイド１０の内部の空洞部１１ｂを通過させてマンホール２０の溜まり水２１の中に沈めることで、排水ポンプ４１を溜まり水２１の中に設置し、排水ポンプ４１によって、溜まり水２１を排水ホース４２を通して排水するようにした。このとき排水ポンプ４１はマンホール２０の底に設置される。これにより、溜まり水２１に浮遊物（浮き油）２２を混入させることなく排水することができる。
【００３０】
ここで、本実施の形態の排水ガイド１０と、フロート１２を有さないガイド本体１１のみから構成された排水ガイドとを比較する。フロート１２を有さないガイド本体１１のみからなる排水ガイドでは、ガイド本体１１にロープ３１を取り付けて上部で作業員３２の２人が、ガイド本体１１の内部に浮遊物（浮き油）２２が進入しないように、ガイド本体１１のバランスを取りながら、排水による水面の低下変動に合わせたペースでガイド本体１１の高さを調整する必要がある。しかしながら、この方法では、ガイド本体１１の内部に浮遊物（浮き油）２２が進入するかしないかは、作業員３２の集中力やバランス操作の熟練度に依存してしまう。また、回りの金具等の突起物へロープ３１が引っ掛かったり、水面と作業員３２との距離が遠いため確認作業が難しい等の原因で、浮遊物（浮き油）２２がガイド本体１１内（排水ガイド１０内）に進入する可能性がある。浮遊物（浮き油）２２がガイド本体１１内（排水ガイド内）に排水途中に進入した場合、排水された水には浮遊物（浮き油）２２が混入しなくても、作業後、排水ポンプ４１を引き上げる際、排水ポンプ４１に浮遊物（浮き油）２２が付着するため、今後当該ポンプをマンホールの排水に使えなくなるおそれがある。
【００３１】
これに対して、本実施の形態の排水ガイド１０は、フロート１２を有し、自立して浮かぶ構成とされているので、作業員３２の技量に依存することなく、ガイド本体１１が安定して水面に浮かぶことにより、浮遊物（浮き油）２２がガイド本体１１内に進入することを確実に防止できる。また、マンホール２０の深部を覗いて排水ガイド１０のバランスをとる必要がないので、排水作業の安全性を向上させることができる。さらに、排水ガイド１０のバランスをとる必要がないので、１人の作業員でも排水作業を行うことができるようになり、排水作業の効率化を図ることができる。
【００３２】
また、本実施の形態の場合には、フロート１２として、廃材であるペットボトルを用いているので、廉価で、かつ、浮き輪等と比較して穴などの空きにくい耐久性の強い、自立浮遊式の排水ガイド１０を実現できる。また、フロート１２として、浮き輪を用いる場合と比較して、径方向のサイズをあまり大きくせずに浮力を得ることができるので、マンホール２０内の狭い空間に投入されるのに適している。
【００３３】
なお、上述の実施の形態では、排水ガイド１０を、プラスチック製バケツ１１とペットボトル１２とを用いて構成した場合について述べたが、本発明の排水ガイドの構成はこれに限らない。要は、排水ポンプ４１及び排水ホース４２が上下方向に通過できる空洞部を有する、筒状のガイド本体と、筒状のガイド本体の外周位置に形成されたフロートと、を有し、自立して浮かぶことができる構成であればよい。
【００３４】
また、上述の実施の形態では、マンホール内の水面の浮き油の場合について説明しているが、本発明の方法は、表面に浮き油が存在するか否かはっきりしないマンホール内の溜まり水を排水する場合に予防的に用いることもできる。すなわち、マンホール内の水面の浮遊物が浮き油か否かはっきりしない場合であっても本発明の方法を適用できる。
【産業上の利用可能性】
【００３５】
本発明は、マンホール内の溜まり水を排水する場合に用いて好適である。
【符号の説明】
【００３６】
１０  排水ガイド
１１  ガイド本体
１１ａ  縁部
１１ｂ  空洞部
１２  フロート
２０  マンホール
２１  溜まり水
２２  浮遊物（浮き油）
３１  ロープ
３２  作業員
４１  排水ポンプ
４２  排水ホース
４３  排水タンク
【図１】
0005548739.tif 000002
【図２】
0005548739.tif 000003
【図３】
0005548739.tif 000004
【図４】
0005548739.tif 000005